(57)【要約】【課題】本発明は果物パッケージを開示した。【解決手段】底層ボックスを含み、前記底層ボックスの中には上方に開口した底部溝が設置され、前記底部溝の中には展開機構が設置され、前記展開機構は前記底部溝の中に位置している中層ボックスを含み、前記中層ボックスの中には上方に開口した中部溝が設置され、前記中部溝の中には果物ボックスが設置され、前記果物ボックスの中には上方に開口した保存溝が設置され、本発明装置は構造が簡単であり、果物が少ないとき、ボックス状に収縮でき、便利に携帯でき、果物が多いときは展開でき、その他の保存空間を提供でき、そして、引きにより運搬でき、ユーザーが便利に携帯でき、また透明な材質であるため、果物展示機能もある。【選択図】図１
2020172327.tif 000002
【特許請求の範囲】
【請求項１】
底層ボックスを含み、前記底層ボックスの中には上方に開口した底部溝が設置され、前記底部溝の中には展開機構が設置され、前記展開機構は前記底部溝の中に位置している中層ボックスを含み、前記中層ボックスの中には上方に開口した中部溝が設置され、前記中部溝の中には果物ボックスが設置され、前記果物ボックスの中には上方に開口した保存溝が設置され、前記中部溝の左端壁には前記底部溝に連通している縦溝と横溝とが設置され、前記横溝が前記縦溝の上端壁に位置しており、前記底部溝と外部とが移動溝により運動溝と連通しており、前記運動溝が前記移動溝の上端壁に位置しており、前記果物ボックスの左端壁には左端が前記底部溝の中に位置している横ロッドが固定的に設置され、前記横ロッドの左端には横ブロックが固定的に設置され、前記中層ボックスの左端壁には左端が外部に位置している移動ロッドが固定的に設置され、前記移動ロッドの左端には移動ブロックが固定的に設置され、前記展開機構の右側には定位機構が設置され、前記定位機構は前記底部溝の下端壁と固定的に連結される支持ロッドを含み、前記支持ロッドの中には上方に開口した伸縮溝が設置され、前記伸縮溝の左右端壁には昇降溝が対称的に設置され、前記伸縮溝の中には上端が前記保存溝の中に位置している昇降ロッドがスライドできるように設置され、前記昇降ロッドの左右端面には前記昇降溝とスライドできるように連結されるショートブロックが対称的に設置され、前記昇降ロッドの上端には円形ブロックが固定的に設置され、前記円形ブロックの中には円形溝が設置され、前記円形溝の中には弧形ブロックがスライドできるように設置され、前記弧形ブロックの上端面にはショートロッドが固定的に設置され、前記ショートロッドには六つの前記保存溝の端壁と固定的に連結されるロープが均一に分布され、前記ショートロッドの上端面には引きリングが固定的に設置され、前記底層ボックスの上側には前記底層ボックスとスライドできるように連結される蓋が設置され、また、前記蓋を移した後、前記引きリングを引くと、前記果物ボックスを前記中部溝から引き出せ、そして前記中層ボックスを前記底部溝から引き出せることを特徴とする果物パッケージ。
【請求項２】
前記展開機構はまた前記中部溝の右端壁の中に位置している回転溝を含み、前記回転溝が前記中部溝と前記底部溝とを連通しており、前記回転溝の中には弧形板がヒンジにより連結され、前記弧形板の右端面には力受けブロックが固定的に設置され、前記弧形板の上端面には移動磁石が固定的に設置され、前記回転溝の上端壁には前記移動磁石と吸引し合っている定位磁石が固定的に設置され、前記果物ボックスの右端面には回転ブロックが固定的に設置され、前記中層ボックスの右端面には旋転ブロックが固定的に設置され、前記底部溝の右端壁の中には前記底部溝と外部とを連通しているロング溝が設置され、前記ロング溝の中にはロング板がヒンジにより連結され、前記ロング板の右端面には引きブロックが固定的に設置され、前記ロング板の上端面には運動磁石が固定的に設置され、前記ロング溝の上端壁には前記運動磁石と吸引し合っている位置制限磁石が固定的に設置され、また、前記引きブロックを引くと前記運動磁石を前記位置制限磁石から離れさせ、それにより前記底部溝を開けることができることを特徴とする請求項１に記載の果物パッケージ。
【請求項３】
前記保存溝の下端壁には環状溝が設置され、前記環状溝が前記果物ボックスの下端面を貫通しており、前記中層ボックスの中には上端壁が前記環状溝に連通している弧形溝が設置され、前記環状溝の左端壁には大リングが固定的に設置され、前記弧形溝の左端壁には小リングが固定的に設置され、前記支持ロッドの左端面には止めブロックが固定的に設置され、前記保存溝において前記昇降ロッドの左端面にはＬ型ブロックが固定的に設置され、また、前記小リングと前記大リングとが一定の位置まで運動するとき、前記Ｌ型ブロックが回転し前記大リングの中に入ることができ、前記止めブロックが回転し前記小リングの中に入ることができることを特徴とする請求項１に記載の果物パッケージ。
【発明の詳細な説明】
【技術分野】
【０００１】
本発明は包装分野を取り上げて、具体的には果物パッケージである。
【背景技術】
【０００２】
果物は壊れやすい食べ物であり、運搬又は販売する過程では、パッケージが必要となり、しかし既存のパッケージは機能が単一であり、果物の収納量が小さく、異なるユーザーのニーズに対し変更できない。
【先行技術文献】
【特許文献】
【０００３】
【特許文献１】中国特許出願公開第１０６５１６３５６号明細書
【発明の概要】
【発明が解決しようとする課題】
【０００４】
本発明の目的は果物パッケージを提供し、それは上記の現在の技術中の問題を解決できる。
【課題を解決するための手段】
【０００５】
上記の課題を解決するため、本発明は以下の技術プランを採用する：本発明の果物パッケージは、底層ボックスを含み、前記底層ボックスの中には上方に開口した底部溝が設置され、前記底部溝の中には展開機構が設置され、前記展開機構は前記底部溝の中に位置している中層ボックスを含み、前記中層ボックスの中には上方に開口した中部溝が設置され、前記中部溝の中には果物ボックスが設置され、前記果物ボックスの中には上方に開口した保存溝が設置され、前記中部溝の左端壁には前記底部溝に連通している縦溝と横溝とが設置され、前記横溝が前記縦溝の上端壁に位置しており、前記底部溝と外部とが移動溝により運動溝と連通しており、前記運動溝が前記移動溝の上端壁に位置しており、前記果物ボックスの左端壁には左端が前記底部溝の中に位置している横ロッドが固定的に設置され、前記横ロッドの左端には横ブロックが固定的に設置され、前記中層ボックスの左端壁には左端が外部に位置している移動ロッドが固定的に設置され、前記移動ロッドの左端には移動ブロックが固定的に設置され、前記展開機構の右側には定位機構が設置され、前記定位機構は前記底部溝の下端壁と固定的に連結される支持ロッドを含み、前記支持ロッドの中には上方に開口した伸縮溝が設置され、前記伸縮溝の左右端壁には昇降溝が対称的に設置され、前記伸縮溝の中には上端が前記保存溝の中に位置している昇降ロッドがスライドできるように設置され、前記昇降ロッドの左右端面には前記昇降溝とスライドできるように連結されるショートブロックが対称的に設置され、前記昇降ロッドの上端には円形ブロックが固定的に設置され、前記円形ブロックの中には円形溝が設置され、前記円形溝の中には弧形ブロックがスライドできるように設置され、前記弧形ブロックの上端面にはショートロッドが固定的に設置され、前記ショートロッドには六つの前記保存溝の端壁と固定的に連結されるロープが均一に分布され、前記ショートロッドの上端面には引きリングが固定的に設置され、前記底層ボックスの上側には前記底層ボックスとスライドできるように連結される蓋が設置され、また、前記蓋を移した後、前記引きリングを引くと、前記果物ボックスを前記中部溝から引き出せ、そして前記中層ボックスを前記底部溝から引き出せる。
【０００６】
有益的には、前記展開機構はまた前記中部溝の右端壁の中に位置している回転溝を含み、前記回転溝が前記中部溝と前記底部溝とを連通しており、前記回転溝の中には弧形板がヒンジにより連結され、前記弧形板の右端面には力受けブロックが固定的に設置され、前記弧形板の上端面には移動磁石が固定的に設置され、前記回転溝の上端壁には前記移動磁石と吸引し合っている定位磁石が固定的に設置され、前記果物ボックスの右端面には回転ブロックが固定的に設置され、前記中層ボックスの右端面には旋転ブロックが固定的に設置され、前記底部溝の右端壁の中には前記底部溝と外部とを連通しているロング溝が設置され、前記ロング溝の中にはロング板がヒンジにより連結され、前記ロング板の右端面には引きブロックが固定的に設置され、前記ロング板の上端面には運動磁石が固定的に設置され、前記ロング溝の上端壁には前記運動磁石と吸引し合っている位置制限磁石が固定的に設置され、また、前記引きブロックを引くと前記運動磁石を前記位置制限磁石から離れさせ、それにより前記底部溝を開けることができる。
【０００７】
有益的には、前記保存溝の下端壁には環状溝が設置され、前記環状溝が前記果物ボックスの下端面を貫通しており、前記中層ボックスの中には上端壁が前記環状溝に連通している弧形溝が設置され、前記環状溝の左端壁には大リングが固定的に設置され、前記弧形溝の左端壁には小リングが固定的に設置され、前記支持ロッドの左端面には止めブロックが固定的に設置され、前記保存溝において前記昇降ロッドの左端面にはＬ型ブロックが固定的に設置され、また、前記小リングと前記大リングとが一定の位置まで運動するとき、前記Ｌ型ブロックが回転し前記大リングの中に入ることができ、前記止めブロックが回転し前記小リングの中に入ることができる。
【発明の効果】
【０００８】
以上により、本発明の有益的な効果は：本発明装置は構造が簡単であり、果物が少ないとき、ボックス状に収縮でき、便利に携帯でき、果物が多いときは展開でき、その他の保存空間を提供でき、そして、引きにより運搬でき、ユーザーが便利に携帯でき、また透明な材質であるため、果物展示機能もある。
【図面の簡単な説明】
【０００９】
下記に図１−７をあわせて本発明について詳しく説明し、便利に説明するために、下記の方向を以下のように規定する：以下に述べる上下左右前後の方向と図１の自身投影関係の上下左右前後の方向とが一致である。
【００１０】
【図１】図１は本発明の果物パッケージの全体全断面の正面構造略図
【図２】図２は本発明の果物パッケージの弧形溝の拡大構造略図
【図３】図３は本発明の果物パッケージの弧形ブロックの拡大構造略図
【図４】図４は本発明の果物パッケージの移動溝の右面断面拡大構造略図
【図５】図５は本発明の果物パッケージの縦溝の右面断面構造略図
【図６】図６は本発明の果物パッケージの底層ボックスの右面構造略図
【図７】図７は本発明の果物パッケージの中層ボックスの右面断面局部構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１−７を参照し、本発明の果物パッケージは、底層ボックス１０を含み、前記底層ボックス１０の中には上方に開口した底部溝１７が設置され、前記底部溝１７の中には展開機構６０が設置され、前記展開機構６０は前記底部溝１７の中に位置している中層ボックス４２を含み、前記中層ボックス４２の中には上方に開口した中部溝２１が設置され、前記中部溝２１の中には果物ボックス２２が設置され、前記果物ボックス２２の中には上方に開口した保存溝２３が設置され、前記中部溝２１の左端壁には前記底部溝１７に連通している縦溝１６と横溝２０とが設置され、前記横溝２０が前記縦溝１６の上端壁に位置しており、前記底部溝１７と外部とが移動溝１５により運動溝１８と連通しており、前記運動溝１８が前記移動溝１５の上端壁に位置しており、前記果物ボックス２２の左端壁には左端が前記底部溝１７の中に位置している横ロッド１１が固定的に設置され、前記横ロッド１１の左端には横ブロック１２が固定的に設置され、前記中層ボックス４２の左端壁には左端が外部に位置している移動ロッド１４が固定的に設置され、前記移動ロッド１４の左端には移動ブロック１３が固定的に設置され、前記展開機構６０の右側には定位機構６１が設置され、前記定位機構６１は前記底部溝１７の下端壁と固定的に連結される支持ロッド４７を含み、前記支持ロッド４７の中には上方に開口した伸縮溝３８が設置され、前記伸縮溝３８の左右端壁には昇降溝４１が対称的に設置され、前記伸縮溝３８の中には上端が前記保存溝２３の中に位置している昇降ロッド３９がスライドできるように設置され、前記昇降ロッド３９の左右端面には前記昇降溝４１とスライドできるように連結されるショートブロック４５が対称的に設置され、前記昇降ロッド３９の上端には円形ブロック５０が固定的に設置され、前記円形ブロック５０の中には円形溝５３が設置され、前記円形溝５３の中には弧形ブロック２５がスライドできるように設置され、前記弧形ブロック２５の上端面にはショートロッド５２が固定的に設置され、前記ショートロッド５２には六つの前記保存溝２３の端壁と固定的に連結されるロープ２４が均一に分布され、前記ショートロッド５２の上端面には引きリング５１が固定的に設置され、前記底層ボックス１０の上側には前記底層ボックス１０とスライドできるように連結される蓋１９が設置され、また、前記蓋１９を移した後、前記引きリング５１を引くと、前記果物ボックス２２を前記中部溝２１から引き出せ、そして前記中層ボックス４２を前記底部溝１７から引き出せる。
【００１３】
有益的には、前記展開機構６０はまた前記中部溝２１の右端壁の中に位置している回転溝３７を含み、前記回転溝３７が前記中部溝２１と前記底部溝１７とを連通しており、前記回転溝３７の中には弧形板３６がヒンジにより連結され、前記弧形板３６の右端面には力受けブロック３３が固定的に設置され、前記弧形板３６の上端面には移動磁石３１が固定的に設置され、前記回転溝３７の上端壁には前記移動磁石３１と吸引し合っている定位磁石２７が固定的に設置され、前記果物ボックス２２の右端面には回転ブロック２６が固定的に設置され、前記中層ボックス４２の右端面には旋転ブロック２８が固定的に設置され、前記底部溝１７の右端壁の中には前記底部溝１７と外部とを連通しているロング溝３５が設置され、前記ロング溝３５の中にはロング板３４がヒンジにより連結され、前記ロング板３４の右端面には引きブロック３２が固定的に設置され、前記ロング板３４の上端面には運動磁石３０が固定的に設置され、前記ロング溝３５の上端壁には前記運動磁石３０と吸引し合っている位置制限磁石２９が固定的に設置され、また、前記引きブロック３２を引くと前記運動磁石３０を前記位置制限磁石２９から離れさせ、それにより前記底部溝１７を開けることができる。
【００１４】
有益的には、前記保存溝２３の下端壁には環状溝４６が設置され、前記環状溝４６が前記果物ボックス２２の下端面を貫通しており、前記中層ボックス４２の中には上端壁が前記環状溝４６に連通している弧形溝４０が設置され、前記環状溝４６の左端壁には大リング４４が固定的に設置され、前記弧形溝４０の左端壁には小リング４３が固定的に設置され、前記支持ロッド４７の左端面には止めブロック４８が固定的に設置され、前記保存溝２３において前記昇降ロッド３９の左端面にはＬ型ブロック４９が固定的に設置され、また、前記小リング４３と前記大リング４４とが一定の位置まで運動するとき、前記Ｌ型ブロック４９が回転し前記大リング４４の中に入ることができ、前記止めブロック４８が回転し前記小リング４３の中に入ることができる。
【００１５】
下記に、図１−７と上記記述した本出願の果物パッケージの具体的な構成を参考し、本出願の果物パッケージの使用方法を詳しく紹介する：初期状態では、底層ボックス１０と、中層ボックス４２及び果物ボックス２２がいずれも透明である。
【００１６】
少量の果物を携帯するとき、蓋１９を移し、保存溝２３の中に果物を入れ、そして蓋１９を閉め、果物が多い又は果物を展示するとき、蓋１９を移し、引きリング５１を引き、果物ボックス２２と中層ボックス４２とを上昇させ、中層ボックス４２が小リング４３を止めブロック４８のところまで上昇連動させ、果物ボックス２２が大リング４４をＬ型ブロック４９のところまで上昇連動させ、ショートロッド５２を回し、ロープ２４により果物ボックス２２を先に回転連動させ、大リング４４を連動させＬ型ブロック４９に掛け、果物ボックス２２の位置を固定する。
【００１７】
横ロッド１１と横溝２０の止めにより、果物ボックス２２が中層ボックス４２を回転連動させ、それにより小リング４３を連動させ止めブロック４８に掛け、中層ボックス４２の位置を固定し、このとき力受けブロック３３と引きブロック３２とを引き、それぞれ底部溝１７と中部溝２１の中に果物を入れ、同時に保存溝２３の中に果物を入れることもでき、引きリング５１の作用は、装置を引き上げることである。
【００１８】
本発明の有益的な効果は：本発明装置は構造が簡単であり、果物が少ないとき、ボックス状に収縮でき、便利に携帯でき、果物が多いときは展開でき、その他の保存空間を提供でき、そして、引きにより運搬でき、ユーザーが便利に携帯でき、また透明な材質であるため、果物展示機能もある。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020172327.tif 000003
【図２】
2020172327.tif 000004
【図３】
2020172327.tif 000005
【図４】
2020172327.tif 000006
【図５】
2020172327.tif 000007
【図６】
2020172327.tif 000008
【図７】
2020172327.tif 000009
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
底層ボックスを含み、前記底層ボックスの中には上方に開口した底部溝が設置され、前記底部溝の中には展開機構が設置され、前記展開機構は前記底部溝の中に位置している中層ボックスを含み、前記中層ボックスの中には上方に開口した中部溝が設置され、前記中部溝の中には果物ボックスが設置され、前記果物ボックスの中には上方に開口した保存溝が設置され、前記中部溝の左端壁には前記底部溝に連通している縦溝と横溝とが設置され、前記横溝が前記縦溝の上側に連通するように設置され、前記底部溝がそれぞれ移動溝と運動溝と連通しており、前記運動溝が前記移動溝の上側に連通するように設置され、前記果物ボックスの左端壁には左端が前記底部溝の中に位置している横ロッドが固定的に設置され、前記横ロッドの左端には横ブロックが固定的に設置され、前記中層ボックスの左端壁には左端が外部に位置している移動ロッドが固定的に設置され、前記移動ロッドの左端には移動ブロックが固定的に設置され、前記展開機構の片側には定位機構が設置され、前記定位機構は前記底部溝の下端壁と固定的に連結される支持ロッドを含み、前記支持ロッドの中には上方に開口した伸縮溝が設置され、前記伸縮溝の左右端壁には昇降溝が対称的に設置され、前記伸縮溝の中には上端が前記保存溝の中に位置している昇降ロッドがスライドできるように設置され、前記昇降ロッドの左右端面には前記昇降溝とスライドできるように連結された一対のショートブロックが対称に設置され、前記昇降ロッドの上端には円形ブロックが固定的に設置され、前記円形ブロックの中には円形溝が設置され、前記円形溝の中には弧形ブロックがスライドできるように設置され、前記弧形ブロックの上端面にはショートロッドが固定的に設置され、前記ショートロッドには前記保存溝の端壁と固定的に連結された六つのロープが均一に配置され、前記ショートロッドの上端面には引きリングが固定的に設置され、前記底層ボックスの上側には前記底層ボックスとスライドできるように連結される蓋が設置され、また、前記蓋を移した後、前記引きリングを引くと、前記果物ボックスを前記中部溝から引き出せ、そして前記中層ボックスを前記底部溝から引き出せ、
前記展開機構はまた前記中部溝の右端壁の中に位置している回転溝を含み、前記回転溝が前記中部溝と前記底部溝とを連通しており、前記回転溝の下側には弧形板がヒンジにより連結され、前記弧形板の右端面には力受けブロックが固定的に設置され、前記弧形板の上端面には移動磁石が固定的に設置され、前記回転溝の上端壁には前記移動磁石と吸引し合っている定位磁石が固定的に設置され、前記果物ボックスの右端面には回転ブロックが固定的に設置され、前記中層ボックスの右端面には旋転ブロックが固定的に設置され、前記底部溝の右端壁の中には前記底部溝と外部とを連通しているロング溝が設置され、前記ロング溝の下側にはロング板がヒンジにより連結され、前記ロング板の右端面には引きブロックが固定的に設置され、前記ロング板の上端面には運動磁石が固定的に設置され、前記ロング溝の上端壁には前記運動磁石と吸引し合っている位置制限磁石が固定的に設置され、また、前記引きブロックを引くと前記運動磁石を前記位置制限磁石から離れさせ、それにより前記底部溝を開けることができることを特徴とする果物パッケージ。
【請求項２】
前記保存溝の下端壁には環状溝が設置され、前記環状溝が前記果物ボックスの下端面を貫通しており、前記中層ボックスの中には弧形溝が設置され、前記弧形溝の上端壁と前記環状溝とが連通しており、前記環状溝の左端壁には大リングが固定的に設置され、前記弧形溝の左端壁には小リングが固定的に設置され、前記支持ロッドの左端面には止めブロックが固定的に設置され、前記保存溝において前記昇降ロッドの左端面にはＬ型ブロックが固定的に設置され、また、前記小リングと前記大リングとが一定の位置まで運動するとき、前記Ｌ型ブロックが回転し前記大リングの中に入ることができ、前記止めブロックが回転し前記小リングの中に入ることができることを特徴とする請求項１に記載の果物パッケージ。
【手続補正２】
【補正対象書類名】明細書
【補正対象項目名】全文
【補正方法】変更
【補正の内容】
【発明の詳細な説明】
【技術分野】
【０００１】
本発明は包装分野を取り上げて、具体的には果物パッケージである。
【背景技術】
【０００２】
果物は壊れやすい食べ物であり、運搬又は販売する過程では、パッケージが必要となり、しかし既存のパッケージは機能が単一であり、果物の収納量が小さく、異なるユーザーのニーズに対し変更できない。
【先行技術文献】
【特許文献】
【０００３】
【特許文献１】中国特許出願公開第１０６５１６３５６号明細書
【発明の概要】
【発明が解決しようとする課題】
【０００４】
本発明の目的は果物パッケージを提供し、それは上記の現在の技術中の問題を解決できる。
【課題を解決するための手段】
【０００５】
上記の課題を解決するため、本発明は以下の技術プランを採用する：本発明の果物パッケージは、底層ボックスを含み、前記底層ボックスの中には上方に開口した底部溝が設置され、前記底部溝の中には展開機構が設置され、前記展開機構は前記底部溝の中に位置している中層ボックスを含み、前記中層ボックスの中には上方に開口した中部溝が設置され、前記中部溝の中には果物ボックスが設置され、前記果物ボックスの中には上方に開口した保存溝が設置され、前記中部溝の左端壁には前記底部溝に連通している縦溝と横溝とが設置され、前記横溝が前記縦溝の上側に連通するように設置され、前記底部溝がそれぞれ移動溝と運動溝と連通しており、前記運動溝が前記移動溝の上側に連通するように設置され、前記果物ボックスの左端壁には左端が前記底部溝の中に位置している横ロッドが固定的に設置され、前記横ロッドの左端には横ブロックが固定的に設置され、前記中層ボックスの左端壁には左端が外部に位置している移動ロッドが固定的に設置され、前記移動ロッドの左端には移動ブロックが固定的に設置され、前記展開機構の片側には定位機構が設置され、前記定位機構は前記底部溝の下端壁と固定的に連結される支持ロッドを含み、前記支持ロッドの中には上方に開口した伸縮溝が設置され、前記伸縮溝の左右端壁には昇降溝が対称的に設置され、前記伸縮溝の中には上端が前記保存溝の中に位置している昇降ロッドがスライドできるように設置され、前記昇降ロッドの左右端面には前記昇降溝とスライドできるように連結された一対のショートブロックが対称に設置され、前記昇降ロッドの上端には円形ブロックが固定的に設置され、前記円形ブロックの中には円形溝が設置され、前記円形溝の中には弧形ブロックがスライドできるように設置され、前記弧形ブロックの上端面にはショートロッドが固定的に設置され、前記ショートロッドには前記保存溝の端壁と固定的に連結された六つのロープが均一に配置され、前記ショートロッドの上端面には引きリングが固定的に設置され、前記底層ボックスの上側には前記底層ボックスとスライドできるように連結される蓋が設置され、また、前記蓋を移した後、前記引きリングを引くと、前記果物ボックスを前記中部溝から引き出せ、そして前記中層ボックスを前記底部溝から引き出せ、前記展開機構はまた前記中部溝の右端壁の中に位置している回転溝を含み、前記回転溝が前記中部溝と前記底部溝とを連通しており、前記回転溝の下側には弧形板がヒンジにより連結され、前記弧形板の右端面には力受けブロックが固定的に設置され、前記弧形板の上端面には移動磁石が固定的に設置され、前記回転溝の上端壁には前記移動磁石と吸引し合っている定位磁石が固定的に設置され、前記果物ボックスの右端面には回転ブロックが固定的に設置され、前記中層ボックスの右端面には旋転ブロックが固定的に設置され、前記底部溝の右端壁の中には前記底部溝と外部とを連通しているロング溝が設置され、前記ロング溝の下側にはロング板がヒンジにより連結され、前記ロング板の右端面には引きブロックが固定的に設置され、前記ロング板の上端面には運動磁石が固定的に設置され、前記ロング溝の上端壁には前記運動磁石と吸引し合っている位置制限磁石が固定的に設置され、また、前記引きブロックを引くと前記運動磁石を前記位置制限磁石から離れさせ、それにより前記底部溝を開けることができる。
【０００６】
有益的には、前記保存溝の下端壁には環状溝が設置され、前記環状溝が前記果物ボックスの下端面を貫通しており、前記中層ボックスの中には弧形溝が設置され、前記弧形溝の上端壁と前記環状溝とが連通しており、前記環状溝の左端壁には大リングが固定的に設置され、前記弧形溝の左端壁には小リングが固定的に設置され、前記支持ロッドの左端面には止めブロックが固定的に設置され、前記保存溝において前記昇降ロッドの左端面にはＬ型ブロックが固定的に設置され、また、前記小リングと前記大リングとが一定の位置まで運動するとき、前記Ｌ型ブロックが回転し前記大リングの中に入ることができ、前記止めブロックが回転し前記小リングの中に入ることができる。
【発明の効果】
【０００７】
以上により、本発明の有益的な効果は：本発明装置は構造が簡単であり、果物が少ないとき、ボックス状に収縮でき、便利に携帯でき、果物が多いときは展開でき、その他の保存空間を提供でき、そして、引きにより運搬でき、ユーザーが便利に携帯でき、また透明な材質であるため、果物展示機能もある。
【図面の簡単な説明】
【０００８】
下記に図１−７をあわせて本発明について詳しく説明し、便利に説明するために、下記の方向を以下のように規定する：以下に述べる上下左右前後の方向と図１の自身投影関係の上下左右前後の方向とが一致である。
【０００９】
【図１】図１は本発明の果物パッケージの全体全断面の正面構造略図
【図２】図２は本発明の果物パッケージの弧形溝の拡大構造略図
【図３】図３は本発明の果物パッケージの弧形ブロックの拡大構造略図
【図４】図４は本発明の果物パッケージの移動溝の右面断面拡大構造略図
【図５】図５は本発明の果物パッケージの縦溝の右面断面構造略図
【図６】図６は本発明の果物パッケージの底層ボックスの右面構造略図
【図７】図７は本発明の果物パッケージの中層ボックスの右面断面局部構造略図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
図１−７を参照し、本発明の果物パッケージは、底層ボックス１０を含み、前記底層ボックス１０の中には上方に開口した底部溝１７が設置され、前記底部溝１７の中には展開機構６０が設置され、前記展開機構６０は前記底部溝１７の中に位置している中層ボックス４２を含み、前記中層ボックス４２の中には上方に開口した中部溝２１が設置され、前記中部溝２１の中には果物ボックス２２が設置され、前記果物ボックス２２の中には上方に開口した保存溝２３が設置され、前記中部溝２１の左端壁には前記底部溝１７に連通している縦溝１６と横溝２０とが設置され、前記横溝２０が前記縦溝１６の上側に連通するように設置され、前記底部溝１７がそれぞれ移動溝１５と運動溝１８と連通しており、前記運動溝１８が前記移動溝１５の上側に連通するように設置され、前記果物ボックス２２の左端壁には左端が前記底部溝１７の中に位置している横ロッド１１が固定的に設置され、前記横ロッド１１の左端には横ブロック１２が固定的に設置され、前記中層ボックス４２の左端壁には左端が外部に位置している移動ロッド１４が固定的に設置され、前記移動ロッド１４の左端には移動ブロック１３が固定的に設置され、前記展開機構６０の片側には定位機構６１が設置され、前記定位機構６１は前記底部溝１７の下端壁と固定的に連結される支持ロッド４７を含み、前記支持ロッド４７の中には上方に開口した伸縮溝３８が設置され、前記伸縮溝３８の左右端壁には昇降溝４１が対称的に設置され、前記伸縮溝３８の中には上端が前記保存溝２３の中に位置している昇降ロッド３９がスライドできるように設置され、前記昇降ロッド３９の左右端面には前記昇降溝４１とスライドできるように連結された一対のショートブロック４５が対称に設置され、前記昇降ロッド３９の上端には円形ブロック５０が固定的に設置され、前記円形ブロック５０の中には円形溝５３が設置され、前記円形溝５３の中には弧形ブロック２５がスライドできるように設置され、前記弧形ブロック２５の上端面にはショートロッド５２が固定的に設置され、前記ショートロッド５２には前記保存溝２３の端壁と固定的に連結された六つのロープ２４が均一に配置され、前記ショートロッド５２の上端面には引きリング５１が固定的に設置され、前記底層ボックス１０の上側には前記底層ボックス１０とスライドできるように連結される蓋１９が設置され、また、前記蓋１９を移した後、前記引きリング５１を引くと、前記果物ボックス２２を前記中部溝２１から引き出せ、そして前記中層ボックス４２を前記底部溝１７から引き出せ、
有益的には、前記展開機構６０はまた前記中部溝２１の右端壁の中に位置している回転溝３７を含み、前記回転溝３７が前記中部溝２１と前記底部溝１７とを連通しており、前記回転溝３７の下側には弧形板３６がヒンジにより連結され、前記弧形板３６の右端面には力受けブロック３３が固定的に設置され、前記弧形板３６の上端面には移動磁石３１が固定的に設置され、前記回転溝３７の上端壁には前記移動磁石３１と吸引し合っている定位磁石２７が固定的に設置され、前記果物ボックス２２の右端面には回転ブロック２６が固定的に設置され、前記中層ボックス４２の右端面には旋転ブロック２８が固定的に設置され、前記底部溝１７の右端壁の中には前記底部溝１７と外部とを連通しているロング溝３５が設置され、前記ロング溝３５の下側にはロング板３４がヒンジにより連結され、前記ロング板３４の右端面には引きブロック３２が固定的に設置され、前記ロング板３４の上端面には運動磁石３０が固定的に設置され、前記ロング溝３５の上端壁には前記運動磁石３０と吸引し合っている位置制限磁石２９が固定的に設置され、また、前記引きブロック３２を引くと前記運動磁石３０を前記位置制限磁石２９から離れさせ、それにより前記底部溝１７を開けることができる。
【００１２】
有益的には、前記保存溝２３の下端壁には環状溝４６が設置され、前記環状溝４６が前記果物ボックス２２の下端面を貫通しており、前記中層ボックス４２の中には弧形溝４０が設置され、前記弧形溝４０の上端壁と前記環状溝４６とが連通しており、前記環状溝４６の左端壁には大リング４４が固定的に設置され、前記弧形溝４０の左端壁には小リング４３が固定的に設置され、前記支持ロッド４７の左端面には止めブロック４８が固定的に設置され、前記保存溝２３において前記昇降ロッド３９の左端面にはＬ型ブロック４９が固定的に設置され、また、前記小リング４３と前記大リング４４とが一定の位置まで運動するとき、前記Ｌ型ブロック４９が回転し前記大リング４４の中に入ることができ、前記止めブロック４８が回転し前記小リング４３の中に入ることができる。
【００１３】
下記に、図１−７と上記記述した本出願の果物パッケージの具体的な構成を参考し、本出願の果物パッケージの使用方法を詳しく紹介する：初期状態では、底層ボックス１０と、中層ボックス４２及び果物ボックス２２がいずれも透明である。
【００１４】
少量の果物を携帯するとき、蓋１９を移し、保存溝２３の中に果物を入れ、そして蓋１９を閉め、果物が多い又は果物を展示するとき、蓋１９を移し、引きリング５１を引き、果物ボックス２２と中層ボックス４２とを上昇させ、中層ボックス４２が小リング４３を止めブロック４８のところまで上昇連動させ、果物ボックス２２が大リング４４をＬ型ブロック４９のところまで上昇連動させ、ショートロッド５２を回し、ロープ２４により果物ボックス２２を先に回転連動させ、大リング４４を連動させＬ型ブロック４９に掛け、果物ボックス２２の位置を固定する。
【００１５】
横ロッド１１と横溝２０の止めにより、果物ボックス２２が中層ボックス４２を回転連動させ、それにより小リング４３を連動させ止めブロック４８に掛け、中層ボックス４２の位置を固定し、このとき力受けブロック３３と引きブロック３２とを引き、それぞれ底部溝１７と中部溝２１の中に果物を入れ、同時に保存溝２３の中に果物を入れることもでき、引きリング５１の作用は、装置を引き上げることである。
【００１６】
本発明の有益的な効果は：本発明装置は構造が簡単であり、果物が少ないとき、ボックス状に収縮でき、便利に携帯でき、果物が多いときは展開でき、その他の保存空間を提供でき、そして、引きにより運搬でき、ユーザーが便利に携帯でき、また透明な材質であるため、果物展示機能もある。
【００１７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。